【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
食器の有する情報に対応した金額の飲食物が当該食器に乗せられたものを備え、これらの中から利用客が所望の飲食物の乗せられた食器を自分で選んで食事を行うような飲食物提供システムにおいて、
前記利用客用の食事場所毎に前記食器の返却口が備えられており、
飲食後の前記食器の有する情報を読み取る情報読み取り手段と、この読みとった情報に基づき前記飲食物の累計金額を自動的に算出する累計金額算出手段と、この算出された累計金額を前記利用客に視認可能に表示する累計金額表示手段と、前記情報読み取り後の食器を前記利用客毎に格納する食器格納手段と、を備え、
前記情報読み取り手段は、前記食器が前記返却口を通過するときに前記情報を読み取るようになっていることを特徴とする飲食物提供システム。
【請求項２】
前記累計金額表示手段は、前記利用客用の食事場所毎に設けられていることを特徴とする請求項１記載の飲食物提供システム。
【請求項３】
前記返却口は、前記食事場所における定員数分が設けられていることを特徴とする請求項１又は請求項２記載の飲食物提供システム。
【請求項４】
前記累計金額算出手段は、前記定員数分の累計金額をそれぞれ別々に算出し、前記累計金額表示手段は、前記算出された前記定員数分の累計金額をそれぞれ別々に表示するようになっていることを特徴とする請求項３記載の飲食物提供システム。
【請求項５】
前記飲食物の乗せられた食器は、当該食器を載置可能な移動手段によって、前記食事場所にいる前記利用客の近傍を通って移動するようになっていることを特徴とする請求項１乃至請求項４のいずれか１項に記載の飲食物提供システム。
【請求項６】
前記移動手段は、前記食器が前記食事場所にいる前記利用客の近傍を周回するように当該食器を移動させることを特徴とする請求項５記載の飲食物提供システム。
【請求項７】
前記食器にはメモリＩＣが配設されており、前記情報はこのメモリＩＣに記憶されるようになっていることを特徴とする請求項１乃至請求項６のいずれか１項に記載の飲食物提供システム。
【請求項８】
前記情報は、前記食器に乗せられた飲食物の金額情報を含むことを特徴とする請求項７記載の飲食物提供システム。
【請求項９】
前記情報は、前記食器に乗せられた飲食物のカロリー情報を含むことを特徴とする請求項７又は請求項８記載の飲食物提供システム。
【請求項１０】
前記情報は、前記食器に乗せられた飲食物の種類情報を含むことを特徴とする請求項７乃至請求項９のいずれか１項に記載の飲食物提供システム。
【請求項１１】
前記情報は、前記食器に乗せられた飲食物の当該食器に乗せられてからの経過時間情報を含むことを特徴とする請求項７乃至請求項１０のいずれか１項に記載の飲食物提供システム。
【請求項１２】
前記メモリＩＣは、非接触型のメモリＩＣであり、前記情報読み取り手段は、このメモリＩＣに記憶されたデータを非接触で読みとるようになっていることを特徴とする請求項７乃至請求項１１のいずれか１項に記載の飲食物提供システム。
【請求項１３】
前記メモリＩＣに前記情報を書き込むための情報書き込み手段を備えることを特徴とする請求項７乃至請求項１２のいずれか１項に記載の飲食物提供システム。
【請求項１４】
前記食器に前記飲食物を乗せた後に、この飲食物に対応する前記情報を前記メモリＩＣに書き込むようになっていることを特徴とする請求項１３記載の飲食物提供システム。
【請求項１５】
前記経過時間情報は、特定のタイミングで自動的に更新されるようになっていることを特徴とする請求項１３又は請求項１４記載の飲食物提供システム。
【請求項１６】
前記情報は食器の色情報であり、当該食器の色毎に飲食物の金額情報が対応付けされていることを特徴とする請求項１乃至請求項６のいずれか１項に記載の飲食物提供システム。
【請求項１７】
前記食器の色毎に前記飲食物のカロリー情報も対応付けされていることを特徴とする請求項１６記載の飲食物提供システム。
【請求項１８】
前記食器の色毎に前記飲食物の種類情報も対応付けされていることを特徴とする請求項１６又は請求項１７記載の飲食物提供システム。
【請求項１９】
前記情報読み取り手段によって読み取られた前記情報に基づく飲食物の情報を前記利用客に視認可能に表示する飲食物情報表示手段を備えることを特徴とする請求項１乃至請求項１８のいずれか１項に記載の飲食物提供システム。
【請求項２０】
前記食事場所に置かれた食器の有する情報を読み取る第２の読み取り手段と、この読み取られた情報に基づく飲食物の情報を前記対応する利用客に視認可能に表示する飲食物情報表示手段と、を備えることを特徴とする請求項１乃至請求項１８のいずれか１項に記載の飲食物提供システム。
【請求項２１】
前記第２の読み取り手段によって読み取られた情報は、前記累計金額の表示場所と同じ所に表示されるようになっていることを特徴とする請求項１９又は請求項２０記載の飲食物提供システム。
【請求項２２】
特典情報を有する食器を備え、前記利用客が前記特典情報を有する食器を選択したときに、この利用客に所定の特典を与えるようになっていることを特徴とする請求項１乃至請求項２１のいずれか１項に記載の飲食物提供システム。
【請求項２３】
前記所定の特典は、前記特典情報を有する食器を選択した利用客の前記累計金額をクリアすることであることを特徴とする請求項２２記載の飲食物提供システム。
【請求項２４】
前記所定の特典は、前記特典情報を有する食器を選択した利用客の食事代を無料にすることであることを特徴とする請求項２２又は請求項２３記載の飲食物提供システム。
【請求項２５】
前記食器格納手段は、利用客が食事代を支払った後に格納された食器を自動的に洗い場に送るようになっていることを特徴とする請求項１乃至請求項２４のいずれか１項に記載の飲食物提供システム。
【請求項２６】
食器の有する情報に対応した金額の飲食物が当該食器に乗せられたものを備え、これらの中から利用客が所望の飲食物の乗せられた食器を自分で選んで食事を行うような飲食物提供システムを制御するための制御プログラムであって、
当該システムは、マイクロコンピュータと、前記利用客用の食事場所毎に前記食器の返却口と、飲食後の前記食器の有する情報を読み取る情報読み取り手段と、この読みとった情報に基づき前記飲食物の累計金額を自動的に算出する累計金額算出手段と、この算出された前記累計金額を前記利用客に視認可能に表示する累計金額表示手段と、前記情報読み取り後の食器を前記利用客毎に格納する食器格納手段と、を備えており、
前記マイクロコンピュータに、前記情報読み取り手段に前記返却口を通る前記食器の有する情報を読み取らせる処理と、この読み取られた情報に基づき前記累計金額算出手段に前記飲食物の累計金額を算出させる処理と、前記累計金額表示手段に前記算出された累計金額を表示部に表示させる処理と、を実行させることを特徴とする制御プログラム。
【手続補正２】
【補正対象書類名】明細書
【補正対象項目名】０００７
【補正方法】変更
【補正の内容】
【０００７】
【課題を解決するための手段】
上記目的を達成するために、本発明に係る請求項１記載の飲食物提供システムは、食器の有する情報に対応した金額の飲食物が当該食器に乗せられたものを備え、これらの中から利用客が所望の飲食物の乗せられた食器を自分で選んで食事を行うような飲食物提供システムにおいて、
前記利用客用の食事場所毎に前記食器の返却口が備えられており、
飲食後の前記食器の有する情報を読み取る情報読み取り手段と、この読みとった情報に基づき前記飲食物の累計金額を自動的に算出する累計金額算出手段と、この算出された累計金額を前記利用客に視認可能に表示する累計金額表示手段と、前記情報読み取り後の食器を前記利用客毎に格納する食器格納手段と、を備え、
前記情報読み取り手段は、前記食器が前記返却口を通過するときに前記情報を読み取るようになっていることを特徴としている。
【手続補正３】
【補正対象書類名】明細書
【補正対象項目名】０００８
【補正方法】変更
【補正の内容】
【０００８】
このような構成であれば、情報読み取り手段によって飲食後の食器の有する情報を読み取ることが可能であり、累計金額算出手段によって、読み取った情報に基づきその食器に乗せられた飲食物の累計金額を算出することが可能であり、累計金額表示手段によって、算出された累計金額を利用客に視認可能に表示することが可能であり、食器格納手段によって、飲食後の食器を利用客毎に格納することが可能であり、前記情報読み取り手段は、前記食器が前記返却口を通過するときに前記情報を読み取ることが可能である。
【手続補正４】
【補正対象書類名】明細書
【補正対象項目名】０００９
【補正方法】変更
【補正の内容】
【０００９】
従って、利用客は、食事中にどれだけの金額の飲食物を食したのかを常に把握しながら食事を行うことが可能となるので、食事の予算が決められているときなどに役立つ。また、食器格納手段によって飲食後の食器を利用客毎に格納するようにしたので、累計金額算出手段の故障時や、利用客と店側とのいざこざが発生したときなどに、利用客毎に格納された食器があることで、手計算での対処や証拠として用いるなどの対処が可能となる。また、情報読み取り手段は、利用客が、食事後の食器を返却口に返すときに、この食器の有する情報を読み取るようにしたので、食事後の食器が食事場所に残りにくくなると共に、従業員が食器を下げに行く手間も省くことが可能となる。従って、利用客は、食事場所を広く使うことが可能となり、店側としては従業員の数を減らしてコストを削減することが可能となる。
ここで、食器は、茶碗などの飲食物が乗せられる（または、注がれる）可能性のあるものは全て含むものとする。また、食器の有する情報とは、後述するメモリＩＣや色情報の他に、食器に描かれた絵や文字等でも良く、従って、情報読み取り手段は、食器の有する情報に応じて、画像認識機能や色の識別機能などを有するものとなる。また、利用客毎という表現を用いているが、これは、利用客個人のことを指す。つまり、３人の利用客がいた場合は、食器格納手段は、３人の飲食後の食器を、それぞれ別に分けて格納することになる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、請求項２に係る発明は、請求項１記載の飲食物提供システムにおいて、前記累計金額表示手段は、前記利用客用の食事場所毎に設けられていることを特徴としている。
つまり、累計金額表示手段を利用客の食事場所毎に設けるようにしたので、利用客は、簡易に食事中の飲食物の累計金額を知ることが可能となる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、請求項３に係る発明は、請求項１又は請求項２記載の飲食物提供システムにおいて、前記返却口は、前記食事場所における定員数分が設けられていることを特徴としている。
つまり、返却口を前記食事場所における定員数分設けるようにしたので、例えば、食事場所が定員４人まで食事をすることが可能なテーブル席であったときには、４つの返却口が設けられ、それぞれが自分の席の返却口に食器を返却すれば良いので使い勝手が良い。
【手続補正９】
【補正対象書類名】明細書
【補正対象項目名】００１４
【補正方法】変更
【補正の内容】
【００１４】
また、請求項４に係る発明は、請求項３記載の飲食物提供システムにおいて、前記累計金額算出手段は、前記定員数分の累計金額をそれぞれ別々に算出し、前記累計金額表示手段は、前記算出された前記定員数分の累計金額をそれぞれ別々に表示するようになっていることを特徴としている。
つまり、累計金額算出手段によってそれぞれの累計金額が算出され、且つ、累計金額表示手段によって、４人分の累計金額が別々に表示（例えば、食事場所が４人席だったら４つの表示部に別々に表示など）されるので、会計が別々のメンバーで食事をするときなどに便利である。
【手続補正１０】
【補正対象書類名】明細書
【補正対象項目名】００１５
【補正方法】変更
【補正の内容】
【００１５】
また、請求項５に係る発明は、請求項１乃至請求項４のいずれか１項に記載の飲食物提供システムにおいて、前記飲食物の乗せられた食器は、当該食器を載置可能な移動手段によって、前記食事場所にいる前記利用客の近傍を通って移動するようになっていることを特徴としている。
つまり、食器を載置可能な移動手段によって、食事場所にいる利用客の近傍を通って、食器を移動するようにしたので、利用客は、移動されてくる食器の中から好みの飲食物の乗ったものを手軽に手に取って食事をすることが可能となる。
【手続補正１１】
【補正対象書類名】明細書
【補正対象項目名】００１６
【補正方法】変更
【補正の内容】
【００１６】
また、請求項６に係る発明は、請求項５記載の飲食物提供システムにおいて、前記移動手段は、前記食器が前記食事場所にいる前記利用客の近傍を周回するように当該食器を移動させることを特徴としている。
つまり、移動手段は、食器が食事場所にいる利用客の近傍を周回するように当該食器を移動させるようにしたものである。従って、利用客は、移動されてくる食器の中から好みの飲食物の乗ったものを手軽に手に取って食事をすることが可能となる。
【手続補正１２】
【補正対象書類名】明細書
【補正対象項目名】００１７
【補正方法】変更
【補正の内容】
【００１７】
また、請求項７に係る発明は、請求項１乃至請求項６記載の飲食物提供システムにおいて、前記食器にはメモリＩＣが配設されており、前記情報はこのメモリＩＣに記憶されるようになっていることを特徴としている。
つまり、食器に乗せられる飲食物に対応した情報を、食器に設けたメモリＩＣに記憶するようにしたものである。従って、メモリＩＣに情報を記憶するので、飲食物に関する様々な情報を記憶することが可能となる。
【手続補正１３】
【補正対象書類名】明細書
【補正対象項目名】００１８
【補正方法】変更
【補正の内容】
【００１８】
また、請求項８に係る発明は、請求項７記載の飲食物提供システムにおいて、前記情報は、前記食器に乗せられた飲食物の金額情報を含むことを特徴としている。
つまり、食器に設けられたメモリＩＣには、その食器に乗せられた飲食物の金額情報が記憶されているので、情報読み取り手段は、メモリＩＣの情報を読み取ることで食器に乗せられた飲食物の金額情報を取得することが可能である。
【手続補正１４】
【補正対象書類名】明細書
【補正対象項目名】００１９
【補正方法】変更
【補正の内容】
【００１９】
また、請求項９に係る発明は、請求項７又は請求項８記載の飲食物提供システムにおいて、前記情報は、前記食器に乗せられた飲食物のカロリー情報を含むことを特徴としている。
つまり、食器に設けられたメモリＩＣには、その食器に乗せられた飲食物のカロリー情報が記憶されているので、情報読み取り手段は、メモリＩＣの情報を読み取ることで食器に乗せられた飲食物のカロリー情報を取得することが可能である。
【手続補正１５】
【補正対象書類名】明細書
【補正対象項目名】００２０
【補正方法】変更
【補正の内容】
【００２０】
また、請求項１０に係る発明は、請求項７乃至請求項９のいずれか１項に記載の飲食物提供システムにおいて、前記情報は、前記食器に乗せられた飲食物の種類情報を含むことを特徴としている。
つまり、食器に設けられたメモリＩＣには、その食器に乗せられた飲食物の種類情報が記憶されているので、情報読み取り手段は、メモリＩＣの情報を読み取ることで食器に乗せられた飲食物の種類情報を取得することが可能である。ここで、種類情報とは、飲食物の名前情報や焼き加減情報などである。つまり、牛ステーキのレアなどである。
【手続補正１６】
【補正対象書類名】明細書
【補正対象項目名】００２１
【補正方法】変更
【補正の内容】
【００２１】
また、請求項１１に係る発明は、請求項７乃至請求項１０のいずれか１項に記載の飲食物提供システムにおいて、前記情報は、前記食器に乗せられた飲食物の当該食器に乗せられてからの経過時間情報を含むことを特徴としている。
つまり、食器に設けられたメモリＩＣには、その食器に乗せられた飲食物の食器に乗せられてからの経過時間情報が記憶されているので、情報読み取り手段は、メモリＩＣの情報を読み取ることで飲食物の食器に乗せられてからの経過時間情報を取得することが可能である。
【手続補正１７】
【補正対象書類名】明細書
【補正対象項目名】００２２
【補正方法】変更
【補正の内容】
【００２２】
また、請求項１２に係る発明は、請求項７乃至請求項１１のいずれか１項に記載の飲食物提供システムにおいて、前記メモリＩＣは、非接触型のメモリＩＣであり、前記情報読み取り手段は、このメモリＩＣに記憶されたデータを非接触で読みとるようになっていることを特徴としている。
つまり、食器に非接触型のＩＣを設け、情報読み取り手段は、このメモリＩＣに記憶された情報を非接触で読み取るようにしたものである。従って、食器を読み取り部に接触させずに食器の有する情報を読み取ることが可能となるので、利用客に食器を返却させやすくすることが可能となる。ここで、非接触でデータの読み書きを行うことが可能なメモリＩＣには、メモリＩＣに備えられた平面コイルと、メモリＩＣのメモリ部からデータを読み出すデータリーダ、又は、メモリＩＣのメモリ部にデータを書き込むデータライタ等に備えられた平面コイルとの電磁誘導結合を利用してデータの送受信を行うものが考えられる。
【手続補正１８】
【補正対象書類名】明細書
【補正対象項目名】００２３
【補正方法】変更
【補正の内容】
【００２３】
また、請求項１３に係る発明は、請求項７乃至請求項１２のいずれか１項に記載の飲食物提供システムにおいて、前記メモリＩＣに前記情報を書き込むための情報書き込み手段を備えることを特徴としている。
つまり、情報書き込み手段によって、メモリＩＣに情報を書き込めるようにしたので、新メニューが出来たときなどに、簡易に情報を書き換えることが可能となり便利である。
【手続補正１９】
【補正対象書類名】明細書
【補正対象項目名】００２４
【補正方法】変更
【補正の内容】
【００２４】
また、請求項１４に係る発明は、請求項１３記載の飲食物提供システムにおいて、前記食器に前記飲食物を乗せた後に、この飲食物に対応する前記情報を前記メモリＩＣに書き込むようになっていることを特徴としている。
つまり、情報書き込み手段によって、食器に載せた後に、その食器に乗せれた飲食物の情報をメモリＩＣに書き込むようにしたので、その日の売れ行きに合わせてメモリＩＣの内容を書き込むことが可能となるので、例えば、食器が足りなくなるなどの事態を避けやすくなる。
【手続補正２０】
【補正対象書類名】明細書
【補正対象項目名】００２５
【補正方法】変更
【補正の内容】
【００２５】
また、請求項１５に係る発明は、請求項１３又は請求項１４記載の飲食物提供システムにおいて、前記経過時間情報は、特定のタイミングで自動的に更新されるようになっていることを特徴としている。
つまり、メモリＩＣに記憶された経過時間情報を、特定のタイミングで自動的に更新するようにしたので、この時間を店側の人が解るようにすることで、例えば、握り寿司などのように時間の経過と共に味が落ちやすいような食べ物などはその経過時間によって、料金を値下げしたり、客に出さないようにしたりするなどの工夫が可能となる。
【手続補正２１】
【補正対象書類名】明細書
【補正対象項目名】００２６
【補正方法】変更
【補正の内容】
【００２６】
また、請求項１６に係る発明は、請求項１乃至請求項６のいずれか１項に記載の飲食物提供システムにおいて、前記情報は食器の色情報であり、当該食器の色毎に飲食物の金額情報が対応付けされていることを特徴としている。
つまり、情報読み取り手段は、食器の色情報を読み取るようになっており、この色情報には、食器に乗せられる飲食物の金額情報を対応付けするようにしたものである。これにより、食器の色によって、どのような金額の飲食物が乗っているのかを簡易に知ることが可能となる。
【手続補正２２】
【補正対象書類名】明細書
【補正対象項目名】００２７
【補正方法】変更
【補正の内容】
【００２７】
また、請求項１７に係る発明は、請求項１６記載の飲食物提供システムにおいて、前記食器の色毎に前記飲食物のカロリー情報も対応付けされていることを特徴としている。
つまり、食器の色情報には、その食器に乗せられる飲食物のカロリー情報も対応付けされるので、食器の色によって、その飲食物のカロリー情報も知ることが可能となる。
【手続補正２３】
【補正対象書類名】明細書
【補正対象項目名】００２８
【補正方法】変更
【補正の内容】
【００２８】
また、請求項１８に係る発明は、請求項１６又は請求項１７記載の飲食物提供システムにおいて、前記食器の色毎に前記飲食物の種類情報も対応付けされていることを特徴としている。
つまり、食器の色情報には、その食器に乗せられる飲食物の種類情報も対応付けされるので、食器の色によって、その飲食物の種類情報も知ることが可能となる。ここで、種類情報とは、飲食物の名前情報や焼き加減情報などである。つまり、牛ステーキのレアなどである。
【手続補正２４】
【補正対象書類名】明細書
【補正対象項目名】００２９
【補正方法】変更
【補正の内容】
【００２９】
また、請求項１９に係る発明は、請求項１乃至請求項１８のいずれか１項に記載の飲食物提供システムにおいて、前記情報読み取り手段によって読み取られた前記情報に基づく飲食物の情報を前記利用客に視認可能に表示する飲食物情報表示手段を備えることを特徴としている。
つまり、飲食物情報表示手段によって、累計金額に加えて、情報読み取り手段によって読み取られた情報に基づくその食器に乗せられた飲食物の情報を利用客に視認可能に表示するようにしたので、例えば、累計金額に加え、カロリーの累計を表示するなどが可能になる。
【手続補正２５】
【補正対象書類名】明細書
【補正対象項目名】００３０
【補正方法】変更
【補正の内容】
【００３０】
また、請求項２０に係る発明は、請求項１乃至請求項１８のいずれか１項に記載の飲食物提供システムにおいて、前記食事場所に置かれた食器の有する情報を読み取る第２の読み取り手段と、この読み取られた情報に基づく飲食物の情報を前記対応する利用客に視認可能に表示する飲食物情報表示手段と、を備えることを特徴としている。
【手続補正２６】
【補正対象書類名】明細書
【補正対象項目名】００３１
【補正方法】変更
【補正の内容】
【００３１】
つまり、第２の情報読み取り手段によって、食事場所に置かれた食器の有する情報を読み取り、飲食物情報表示手段によって、その読み取られた情報に基づく飲食物の情報を利用客に視認可能に表示するようにしたので、例えば、累計金額に加え、カロリーの累計を表示するなどが可能になる。
また、請求項２１に係る発明は、請求項１９又は請求項２０記載の飲食物提供システムにおいて、前記第２の読み取り手段によって読み取られた情報は、前記累計金額の表示場所と同じ所に表示されるようになっていることを特徴としている。
【手続補正２７】
【補正対象書類名】明細書
【補正対象項目名】００３２
【補正方法】変更
【補正の内容】
【００３２】
つまり、飲食物表示手段によって表示される飲食物情報を累計金額の表示場所と同じ所に表示するようにしたので、利用客は、ひとつの表示部を見ることで様々な情報を知ることが可能となる。
また、請求項２２に係る発明は、請求項１乃至請求項２１のいずれか１項に記載の飲食物提供システムにおいて、特典情報を有する食器を備え、前記利用客が前記特典情報を有する食器を選択したときに、この利用客に所定の特典を与えるようになっていることを特徴としている。
【手続補正２８】
【補正対象書類名】明細書
【補正対象項目名】００３３
【補正方法】変更
【補正の内容】
【００３３】
つまり、食器が特典情報を有しており、その特典情報を有する食器を選択した利用客に特典が与えられるものである。これにより、利用客は特典を楽しみに食事を行うことが可能となり、店側としても集客率の増加が望める。
また、請求項２３に係る発明は、請求項２２記載の飲食物提供システムにおいて、前記所定の特典は、前記特典情報を有する食器を選択した利用客の前記累計金額をクリアすることであることを特徴としている。
【手続補正２９】
【補正対象書類名】明細書
【補正対象項目名】００３４
【補正方法】変更
【補正の内容】
【００３４】
つまり、特典として利用客の前記累計金額をクリアするようにしたもので、利用客は特典を楽しみに食事を行うことが可能となり、店側としても集客率の増加が望める。
また、請求項２４に係る発明は、請求項２２又は請求項２３記載の飲食物提供システムにおいて、前記所定の特典は、前記特典情報を有する食器を選択した利用客の食事代を無料にすることであることを特徴としている。
【手続補正３０】
【補正対象書類名】明細書
【補正対象項目名】００３５
【補正方法】変更
【補正の内容】
【００３５】
つまり、特典として利用客の食事代を無料にするようにしたもので、利用客は特典を楽しみに食事を行うことが可能となり、店側としても集客率の増加が望める。
また、請求項２５に係る発明は、請求項１乃至請求項２４のいずれか１項に記載の飲食物提供システムにおいて、前記食器格納手段は、利用客が食事代を支払った後に格納された食器を洗い場に送るようになっていることを特徴としている。
【手続補正３１】
【補正対象書類名】明細書
【補正対象項目名】００３６
【補正方法】変更
【補正の内容】
【００３６】
つまり、食器格納手段は、利用客が食事代を払った後に、そこに格納された食器を自動的に洗い場に送るようにしたので、従業員の手間が省ける。
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】変更
【補正の内容】
【００４２】
また、本発明に係る請求項２６記載の制御プログラムは、食器の有する情報に対応した金額の飲食物が当該食器に乗せられたものを備え、これらの中から利用客が所望の飲食物の乗せられた食器を自分で選んで食事を行うような飲食物提供システムを制御するための制御プログラムであって、
当該システムは、マイクロコンピュータと、前記利用客用の食事場所毎に前記食器の返却口と、飲食後の前記食器の有する情報を読み取る情報読み取り手段と、この読みとった情報に基づき前記飲食物の累計金額を自動的に算出する累計金額算出手段と、この算出された前記累計金額を前記利用客に視認可能に表示する累計金額表示手段と、前記情報読み取り後の食器を前記利用客毎に格納する食器格納手段と、を備えており、
前記マイクロコンピュータに、前記情報読み取り手段に前記返却口を通る前記食器の有する情報を読み取らせる処理と、この読み取られた情報に基づき前記累計金額算出手段に前記飲食物の累計金額を算出させる処理と、前記累計金額表示手段に前記算出された累計金額を表示部に表示させる処理と、を実行させることを特徴としている。
【手続補正３８】
【補正対象書類名】明細書
【補正対象項目名】００８６
【補正方法】変更
【補正の内容】
【００８６】
ここで、図１に示す、ベルトコンベア部１０２は、請求項５及び請求項６記載の移動手段に対応し、食器返却部１０３は、請求項１及び請求項３記載の返却口に対応し、食器格納部１０４は、請求項１及び請求項２５記載の食器格納手段に対応し、図２に示す、飲食物情報読み取り部１０は、請求項２０及び請求項２１記載の第２の読み取り手段に対応し、飲食物情報表示制御部１１及び表示部１２による飲食物情報の表示処理は、請求項１９及び請求項２０記載の飲食物情報表示手段に対応し、金額情報読み取り部１３は、請求項１、１２、１９、２６記載の情報読み取り手段に対応し、累計金額算出部１４は、請求項１、４、２６記載の累計金額算出手段に対応し、累計金額表示制御部１５及び表示部１２による累計金額の表示処理は、請求項１、２、４、２６記載の累計金額表示手段に対応し、情報書込み部１６は、請求項１３及び請求項１４記載の情報書き込み手段に対応する。
【手続補正３９】
【補正対象書類名】明細書
【補正対象項目名】００８８
【補正方法】変更
【補正の内容】
【００８８】
【発明の効果】
以上説明したように、本発明に係る請求項１記載の飲食物提供システムによれば、食器格納手段によって飲食後の食器を利用客毎に格納するようにしたので、累計金額算出手段の故障時や、利用客と店側とのいざこざが発生したときなどに、利用客毎に格納された食器があることで、手計算での対処や証拠として用いるなどの対処が可能となる。また、情報読み取り手段は、利用客が、食事後の食器を返却口に返すときに、この食器の有する情報を読み取るようにしたので、食事後の食器が食事場所に残りにくくなると共に、従業員が食器を下げに行く手間も省くことが可能となり、利用客は、食事場所を広く使うことが可能となり、店側としては従業員の数を減らしてコストを削減することが可能となる。
【手続補正４０】
【補正対象書類名】明細書
【補正対象項目名】００８９
【補正方法】削除
【補正の内容】
【手続補正４１】
【補正対象書類名】明細書
【補正対象項目名】００９０
【補正方法】変更
【補正の内容】
【００９０】
また、請求項２記載の飲食物提供システムによれば、請求項１の前記効果に加え、累計金額表示手段を利用客の食事場所毎に設けるようにしたので、利用客は、簡易に食事中の飲食物の累計金額を知ることが可能となる。
【手続補正４２】
【補正対象書類名】明細書
【補正対象項目名】００９１
【補正方法】変更
【補正の内容】
【００９１】
また、請求項３記載の飲食物提供システムによれば、請求項１又は請求項２の前記効果に加え、返却口を前記食事場所における定員数分設けるようにしたので、例えば、食事場所が定員４人まで食事をすることが可能なテーブル席であったときには、４つの返却口が設けられ、それぞれが自分の席の返却口に食器を返却すれば良いので使い勝手が良い。
【手続補正４３】
【補正対象書類名】明細書
【補正対象項目名】００９２
【補正方法】変更
【補正の内容】
【００９２】
また、請求項４記載の飲食物提供システムによれば、請求項３の前記効果に加え、累計金額算出手段によってそれぞれの累計金額を算出し、且つ、累計金額表示手段によって、４人分の累計金額が別々に表示（例えば、食事場所が４人席だったら４つの表示部に別々に表示など）するようにしたので、会計が別々のメンバーで食事をするときなどに便利である。
【手続補正４４】
【補正対象書類名】明細書
【補正対象項目名】００９３
【補正方法】変更
【補正の内容】
【００９３】
また、請求項５及び請求項６記載の飲食物提供システムによれば、請求項１乃至請求項４のいずれかの前記効果に加え、食器を載置可能な移動手段によって、食事場所にいる利用客の近傍を通って、食器を移動するようにしたので、利用客は、移動されてくる食器の中から好みの飲食物の乗ったものを手軽に手に取って食事をすることが可能となる。
【手続補正４５】
【補正対象書類名】明細書
【補正対象項目名】００９４
【補正方法】変更
【補正の内容】
【００９４】
また、請求項７乃至請求項１１記載の飲食物提供システムによれば、食器に乗せられる飲食物に対応した情報を、食器に設けたメモリＩＣに記憶するようにしたので、メモリＩＣに情報を記憶するので、飲食物に関する金額情報、カロリー情報、種類情報、経過時間情報など様々な情報を記憶することが可能となる。
また、請求項１２記載の飲食物提供システムによれば、食器に非接触型のＩＣを設け、情報読み取り手段は、このメモリＩＣに記憶された情報を非接触で読み取るようにしたので、食器を読み取り部に接触させずに食器の有する情報を読み取ることが可能となるので、利用客に食器を返却させやすくすることが可能となる。
【手続補正４６】
【補正対象書類名】明細書
【補正対象項目名】００９５
【補正方法】変更
【補正の内容】
【００９５】
また、請求項１３記載の飲食物提供システムによれば、情報書き込み手段によって、メモリＩＣに情報を書き込めるようにしたので、新メニューが出来たときなどに、簡易に情報を書き換えることが可能となり便利である。
また、請求項１４記載の飲食物提供システムによれば、情報書き込み手段によって、食器に載せた後に、その食器に乗せれた飲食物の情報をメモリＩＣに書き込むようにしたので、その日の売れ行きに合わせてメモリＩＣの内容を書き込むことが可能となるので、例えば、食器が足りなくなるなどの事態を避けやすくなる。
【手続補正４７】
【補正対象書類名】明細書
【補正対象項目名】００９６
【補正方法】変更
【補正の内容】
【００９６】
また、請求項１５記載の飲食物提供システムによれば、メモリＩＣに記憶された経過時間情報を、特定のタイミングで自動的に更新するようにしたので、この時間を店側の人が解るようにすることで、例えば、握り寿司などのように時間の経過と共に味が落ちやすいような食べ物などはその経過時間によって、料金を値下げしたり、客に出さないようにしたりするなどの工夫が可能となる。
【手続補正４８】
【補正対象書類名】明細書
【補正対象項目名】００９７
【補正方法】変更
【補正の内容】
【００９７】
また、請求項１６乃至請求項１８記載の飲食物提供システムによれば、情報読み取り手段によって、食器の色情報を読み取るようにし、この色情報に、食器に乗せられる飲食物の金額情報を対応付けするようにしたので、食器の色によって、どのような金額の飲食物が乗っているのかを簡易に知ることが可能となる。
また、請求項１９記載の飲食物提供システムによれば、飲食物情報表示手段によって、累計金額に加えて、情報読み取り手段によって読み取られた情報に基づくその食器に乗せられた飲食物の情報を利用客に視認可能に表示するようにしたので、例えば、累計金額に加え、カロリーの累計を表示するなどが可能になる。
【手続補正４９】
【補正対象書類名】明細書
【補正対象項目名】００９８
【補正方法】変更
【補正の内容】
【００９８】
また、請求項２０記載の飲食物情報提供システムによれば、第２の情報読み取り手段によって、食事場所に置かれた食器の有する情報を読み取り、飲食物情報表示手段によって、その読み取られた情報に基づく飲食物の情報を利用客に視認可能に表示するようにしたので、例えば、累計金額に加え、カロリーの累計を表示するなどが可能になる。
【手続補正５０】
【補正対象書類名】明細書
【補正対象項目名】００９９
【補正方法】変更
【補正の内容】
【００９９】
また、請求項２１記載の飲食物提供システムによれば、飲食物表示手段によって表示される飲食物情報を累計金額の表示場所と同じ所に表示するようにしたので、利用客は、ひとつの表示部を見ることで様々な情報を知ることが可能となる。
また、請求項２２乃至請求項２４記載の飲食物提供システムによれば、食器が特典情報を有しており、その特典情報を有する食器を選択した利用客に特典が与えられるものである。これにより、利用客は特典を楽しみに食事を行うことが可能となり、店側としても集客率の増加が望める。
【手続補正５１】
【補正対象書類名】明細書
【補正対象項目名】０１００
【補正方法】変更
【補正の内容】
【０１００】
また、請求項２５記載の飲食物提供システムによれば、食器格納手段は、利用客が食事代を払った後に、そこに格納された食器を自動的に洗い場に送るようにしたので、従業員の手間が省ける。
【手続補正５２】
【補正対象書類名】明細書
【補正対象項目名】０１０１
【補正方法】変更
【補正の内容】
【０１０１】
また、請求項２６記載の制御プログラムは、請求項１記載の飲食物提供システムを制御するための制御プログラムであり、その効果は重複するので記載を省略する。
【手続補正５３】
【補正対象書類名】明細書
【補正対象項目名】０１０２
【補正方法】削除
【補正の内容】
【手続補正５４】
【補正対象書類名】明細書
【補正対象項目名】０１０３
【補正方法】削除
【補正の内容】